(57)【特許請求の範囲】
【請求項１】
雌雄いずれか一方のコネクタには、相手のコネクタに設けられた係止部に弾性的に係止して雌雄のコネクタを正規の嵌合状態に保持する撓み変形可能なロック片が設けられ、このロック片を設けた側のコネクタ同士を一体的に組み付ける場合の連結構造であって、
一のコネクタは、そのロック片を設けた面を他のコネクタにおけるロック片を設けた面以外の面に重ね合わせ状に組み付け可能とされ、両コネクタの間にこの両コネクタを組み付け状態に保持する連結手段が介設されるとともに、他のコネクタには、両コネクタが組み付けられた場合に、前記一のコネクタにおけるロック片のロック機能が発揮できないようにそのロック片を押圧して撓み変形状態に止め置く押圧手段が設けられていることを特徴とするコネクタの連結構造。
【請求項２】
前記ロック片を設けたコネクタが３個以上組み付け可能とされ、かつその組み付け状態において前記ロック片は１個を除いて他のものがすべて撓み変形状態に止め置かれることを特徴とする請求項１記載のコネクタの連結構造。
【発明の詳細な説明】
【０００１】
【発明の属する技術分野】
本発明は、雌雄いずれか一方の側のコネクタ同士を一体的に組み付ける連結構造に関する。
【０００２】
【従来の技術】
多極のコネクタを構成する場合に、例えばハーネス製造時においては、コネクタが小型のものに分割されていた方が取扱い易いが、その反面、嵌合作業の工数が増えるという不具合がある。この作業工数を減らすためには、嵌合作業を行う前に、分割された雄側あるいは雌側のコネクタ同士を予め一体的に組み付けるといったことが考えられる。
例えば図１２に示すように、雄側と雌側とでそれぞれ２個ずつに分割されていた場合、ハーネス製造が完了して嵌合作業を行う前に、雄側のコネクタ５１同士と雌側のコネクタ５２同士を一体的に組み付けるのである。
【０００３】
【発明が解決しようとする課題】
上記の場合、雄側では、例えばクリップの取付部５３を利用して比較的簡単に連結することができる。すなわちコネクタ５１に対して取付部５３に差し込み可能な差込脚５４を付設し、一方の雄コネクタ５１の差込脚５４を他方の雄コネクタ５１の取付部５３に差し込むことで、両雄コネクタ５１を重ねつつ一体に連結することができる。
一方雌側では、各雌コネクタ５２について、対応する雄コネクタ５１と正規に嵌合された場合にその嵌合状態にロックするためのロックアーム５５が設けられているため、簡単には対応できない。このロックアーム５５は弾性的な撓み変形可能に設けられていて、雌雄のコネクタ５１，５２はロックアーム５５を撓み変形させつつ嵌合され、両コネクタ５１，５２が正規に嵌合されたところでロックアーム５５が復元変形しつつ、そこに設けられたロック部５６が雄コネクタ５１に設けられた係止部５７に係止されることでロックされる。そして両コネクタ５１，５２の嵌合を外す場合は、操作部５７を押圧してロックアーム５５を強制的に撓み変形させることでロックを解除する必要がある。
【０００４】
ここで、雌コネクタ５２同士を雄側と同様に重ねて連結すると、下側の雌コネクタ５２のロックアーム５５は上側の雌コネクタ５２との間に挟まれた状態となる。そして上記のように、雌雄のコネクタ５１，５２の嵌合を外す場合はロックアーム５５を強制的に撓み変形させねばならないから、特に両雌コネクタ５２の間に挟まれた下側のロックアーム５５の撓み変形操作をし易くするように、両雌コネクタ５２の間を開けて組み付ける必要がある。そうすると組み付けられた雌側のコネクタ５２が嵩高となり、雄側でもそれと合わせて嵩高となってしまうので、コネクタ全体が大型化するという問題がある。
また、各ロックアーム５５がそれぞれ相手の雄コネクタ５１にロックされるのであるから、雌雄のコネクタ５１，５２の嵌合を外す場合には、ロックアーム５５のロック解除操作を２箇所で行わねばならず、面倒であるという問題もあった。
【０００５】
本発明は上記のような事情に基づいて完成されたものであって、その目的は、分割されたコネクタを予め一体に組み付けてから雌雄のコネクタを嵌合するようにしたものにおいて、全体のコンパクト化を図り、かつ嵌合解除作業も簡単に行えるようにすることにある。
【０００６】
【課題を解決するための手段】
上記の目的を達成するための手段として、請求項１の発明は、雌雄いずれか一方のコネクタには、相手のコネクタに設けられた係止部に弾性的に係止して雌雄のコネクタを正規の嵌合状態に保持する撓み変形可能なロック片が設けられ、このロック片を設けた側のコネクタ同士を一体的に組み付ける場合の連結構造であって、一のコネクタは、そのロック片を設けた面を他のコネクタにおけるロック片を設けた面以外の面に重ね合わせ状に組み付け可能とされ、両コネクタの間にこの両コネクタを組み付け状態に保持する連結手段が介設されるとともに、他のコネクタには、両コネクタが組み付けられた場合に、前記一のコネクタにおけるロック片のロック機能が発揮できないようにそのロック片を押圧して撓み変形状態に止め置く押圧手段が設けられている構成としたところに特徴を有する。
【０００７】
請求項２の発明は、請求項１の発明において、前記ロック片を設けたコネクタが３個以上組み付け可能とされ、かつその組み付け状態において前記ロック片は１個を除いて他のものがすべて撓み変形状態に止め置かれる構成としたところに特徴を有する。
【０００８】
【発明の作用および効果】
＜請求項１の発明＞
コネクタを重ね合わせ状に組み付けると、正規に組み付けられたところで連結手段により一体化され、それとともに、両コネクタの間に挟まれる側のロック片が押圧手段によって撓み変形させられた状態に止め置かれ、ロック機能が発揮できない状態となる。雌雄のコネクタが嵌合されると、残りのもう一方のロック片によりロックがなされる。嵌合を解除する場合は、そのロック片のみを強制的に撓み変形させてロックを解除する。
【０００９】
すなわちロック片を設けた側のコネクタ同士を連結する場合に、両コネクタの間に挟まれる側のロック片は、撓み変形状態に止め置かれていわば殺した状態とされるから、コネクタ間にロック解除用のスペース等を設ける必要がなくて、小嵩に組み付けることができ、それに伴い相手のコネクタ側も小嵩にできて、全体としてコンパクトにまとめることができる。また、雌雄のコネクタ間をロックする箇所が一箇所だけとなるので、嵌合を解除する作業も簡単に行うことができる効果がある。
【００１０】
＜請求項２の発明＞
ロック片を設けた側のコネクタを３個以上組み付ける場合にも、１個のロック片のみを生かした状態で組み付け得るようにしたから、同様に全体のコンパクト化が図られ、かつ嵌合解除作業を簡単に行うことができる。
【００１１】
【発明の実施の形態】
以下、本発明の実施形態を添付図面に基づいて説明する。
＜第１実施形態＞
図１ないし図９は本発明の第１実施形態を示す。この第１実施形態では、雄側と雌側とでそれぞれ２個ずつのコネクタに分割された場合を例示している。
雄側の２個のコネクタＭは、図１ないし図３に示すように、合成樹脂材によって同一の形状に形成されており、偏平なブロック状をなす本体部１の前面側に一回り大きい角筒状のフード部２が形成された形状である。本体部１内には、前後方向を向いた図示４個のキャビティ３が、横方向に並んで形成されている。各キャビティ３内には電線５の端末に固着された雄型端子金具６が後面側（図３の左側）から挿入され、雄型端子金具６の底面から切り起こして形成された金属ランス７が、各キャビティ３の底面に形成された係止段部８に係止されることで抜け止め状態で収容されており、各雄型端子金具６のタブ部９がフード部２内に突出している。
【００１２】
一方の雌側の２個のコネクタＦも、図５ないし図７に示すように、同じく合成樹脂材によって同一形状に形成されており、偏平なブロック状をなして、その前端側（図７の左側）が上記の雄コネクタＭのフード部２内に嵌合可能とされている。雌コネクタＦ内には、前後方向を向いた図示４個のキャビティ１１が、雄コネクタＭ側のキャビティ３と同じ間隔で横方向に並んで形成されており、各キャビティ１１内に電線５の端末に固着された雌型端子金具１２が後面側から挿入され、同じく金属ランス７がキャビティ１１の天井面の係止段部８に係止されることで、抜け止め状態で収容されるようになっている。
【００１３】
上記した雄コネクタＭと雌コネクタＦとは、それぞれ１個ずつで嵌合可能であり、かつ正規に嵌合されたところでロックされるようになっている。このため、雌コネクタＦの上面には、その前縁における幅方向の中央位置から後方に向けて折り返されるようにして、ロックアーム１４が形成されている。このロックアーム１４は、幅方向の中央部に溝１５が切られていて、後方に延出した端部の上面に解除用の操作部１６がわたされて形成されており、折り返し部分を中心として下方に向けて弾性的な撓み変形可能となっている。また溝１５の途中位置にはロック部１７が形成されており、このロック部１７は、図７に示すように、前面側が傾斜したガイド面となっており、後面側が切り立った係止面となっている。
【００１４】
一方の雄コネクタＭ側では、フード部２の天井面の前縁における幅方向の中央位置に、ロックアーム１４のロック部１７に係止可能な係止突部１９が形成されている。この係止突部１９はロックアーム１４の溝１５内に進入可能であって、図３に示すように、前縁側が傾斜したガイド面であり、後面側が切り立った係止面となっている。
【００１５】
すなわち雌コネクタＦを雄コネクタＭに向けて嵌合すると、係止突部１９がロックアーム１４の溝１５内に進入し、ガイド面同士の係合によってロックアーム１４が下方に撓み変形しつつ押し込まれ、両コネクタＭ，Ｆが正規に嵌合されると、ロック部１７が係止突部１９を越え、ロックアーム１４が復元変形しつつロック部１７が係止突部１９の後面側に嵌まることで、両コネクタＭ，Ｆが正規に嵌合した状態にロックされる（図９の上側を参照のこと）。一方、操作部１６を押してロックアーム１４を強制的に撓み変形させると、ロックが解除されるため、両コネクタＭ，Ｆの嵌合が解除できるようになっている。
【００１６】
さて、２個ずつ設けられた雄コネクタＭ同士と雌コネクタＦ同士とは、それぞれ上下に重ね合わせ状に組み付け可能となっている。
まず雄コネクタＭの連結構造から説明する。フード部２の下面における幅方向の中央部には、図２に示すように、正面から見て略逆Ｔ字状をなす前後方向のガイドレール２１が形成されている。このガイドレール２１の幅方向の中央部には溝２２が切られており、図３に示すように、その溝２２の前端側から後方に向けて延出するようにして係止片２３が形成されている。この係止片２３は先端側が上方に向けて撓み変形可能であり、その途中位置の下面には、前面側が傾斜面で後面側が垂直面となった係止突起２４が形成されている。
【００１７】
一方、フード部２の上面には一対の差込脚２６が前後方向に沿って形成されている。この差込脚２６は鈎状をなしていて、互いに向き合うようにして形成されており、上記のガイドレール２１を左右両側から抱くようにして差し込み可能となっている。両差込脚２６の前端側にはストッパ板２７が設けられているとともに、両差込脚２６の間の所定位置には突部２８が形成されており、後面側が傾斜面で前面側が垂直面となっている。
【００１８】
すなわち、２個の雄コネクタＭを連結する場合は、図３の矢線に示すように、一方（下側）の雄コネクタＭの差込脚２６を、他方の雄コネクタＭのガイドレール２１に前面側から差し込む。差込脚２６は、突部２８と係止突起２４との係合により係止片２３を撓み変形させつつ押し込まれ、ストッパ板２７がガイドレール２１の前端に当たることで差し込みが停止されると、係止突起２４が突部２８を相対的に乗り越えるため、係止片２３が復元変形しつつ係止突起２４が突部２８の前面に嵌まることで、図４に示すように、両雄コネクタＭが上下に重なり合った状態で組み付けられてロックされる。このとき、両雄コネクタＭのフード部２の先端面同士は整合する。
【００１９】
続いて、雌コネクタＦ側の連結構造を説明する。雌コネクタＦの後端側の上面には、上記したロックアーム１４の延出端の両側を挟むようにして、一対の差込脚３０が立てられている。各差込脚３０は先端が外側に直角曲げされている。一方、雌コネクタＦの後端側の下面には、上記の差込脚３０が差し込み可能とされる差込溝３２を穿設したガイドレール３１が形成されている。差込溝３２の後面側にはストッパ板３３が形成されている（図７参照）。
【００２０】
両ガイドレール３１の内側の位置には、一対の係止片３５が設けられている。この係止片３５は先端の下面に鈎部３６が形成されて、前方に突出するようにして設けられ、先端側が上方に向けて撓み変形可能となっている。上記した一対の差込脚３０は、その屈曲部分の角部が係止片３５と対応して挿入可能となっており、その角部に、係止片３５の鈎部３６が嵌まる係止凹部３８が形成されている（図６，８参照）。
【００２１】
すなわち、２個の雌コネクタＦを連結する場合は、図７の矢線に示すように、一方（下側）の雌コネクタＦの差込脚３０を、他方の雌コネクタＦのガイドレール３１の差込溝３２に前面側から差し込む。差込脚３０は、その角部が係止片３５の鈎部３６に当たることで、係止片３５を撓み変形させつつ押し込まれ、ストッパ板３３に当たって差し込みが停止されると、図８に示すように、係止片３５が復元変形しつつ鈎部３６が係止凹部３８に嵌まることで、両雌コネクタＦが上下に重なり合った状態で組み付けられてロックされる。このとき、両雌コネクタＦの先端面同士は整合する。
【００２２】
また、両ガイドレール３１の中間位置には、前記したロックアーム１４のロック機能を殺すための押圧板４０が下向きに形成されている。この押圧板４０は、図７に示すように、前縁側が比較的急な下り勾配となった傾斜面４１で、下縁が緩やかな下り勾配の傾斜面４２であり、後縁側が垂直面となっている。
【００２３】
すなわち、上記のように両雌コネクタＦが重ね合わせ状に組み付けられると、下側の雌コネクタＦのロックアーム１４の操作部１６が、上側の雌コネクタＦの押圧板４０の傾斜面４１に突き当たり、その傾斜面４１に沿うようにしてロックアーム１４が下方に撓み変形させられ、正規位置に組み付けられたところでは、図８に示すように、操作部１６が押圧板４０の傾斜面４２の下に潜った状態で、撓み変形した状態に保持される。この状態では、雌雄のコネクタＭ，Ｆを嵌合した場合に、ロック部１７が相手の係止突部１９と一切係合しない位置に離間し、すなわちロックアーム１４のロック機能が殺された状態となる。
【００２４】
本第１実施形態は上記のような構造であって、続いてその作動を説明する。
まず、雄コネクタＭ同士と雌コネクタＦ同士をそれぞれ組み付ける。繰り返すと、雄側では、図３の矢線に示すように、下側の雄コネクタＭの差込脚２６を上側の雄コネクタＭのガイドレール２１に前面側から差し込み、所定量差し込まれてストッパ板２７に突き当たると、図４に示すように、突部２８が係止片２３の係止突起２４に係止されて、両コネクタＭが上下に重なり合い、かつフード部２の先端面同士が整合した状態で組み付けられる。
【００２５】
雌側では、図７の矢線に示すように、下側の雌コネクタＦの差込脚３０を上側の雌コネクタＦのガイドレール３１の差込溝３２に前面側から差し込む。所定量差し込まれてストッパ板３３に突き当たると、図８に示すように、左右の係止片３５の鈎部３６が係止凹部３８に嵌まることで、両雌コネクタＦが上下に重なり合った状態で組み付けられてロックされる。それとともに、下側の雌コネクタＦのロックアーム１４の操作部１６が、上側の雌コネクタＦの押圧板４０で押さえられて、そのロックアーム１４が撓み変形した状態に保持される。これに対して、上側の雌コネクタＦのロックアーム１４はフリーな状態のままである。
【００２６】
このように２個の雌コネクタＦが一体に組み付けられたら、この雌コネクタＦを前記の一体に組み付けられた雄コネクタＭ側に嵌合する。上下の雌コネクタＦは、それぞれ対応する上下の雄コネクタＭに嵌合される。その際、上側の雄コネクタＭの係止突部１９が、上側のロックアーム１４の溝１５内に相対的に進入し、ガイド面同士の係合によって上側のロックアーム１４が下方に撓み変形しつつ押し込まれる。雌コネクタＦが所定量押し込まれると、図９に示すように、上側のロックアーム１４が復元変形しつつロック部１７が係止突部１９の後面側に嵌まることで、雌雄のコネクタＭ，Ｆが上下でともに正規に嵌合した状態にロックされる。
【００２７】
なお、上記の嵌合操作に伴い、下側の雄コネクタＭの係止突部１９も下側のロックアーム１４の溝１５と対応する部分に進入するが、下側のロックアーム１４は撓み変形した状態に保持されていて、ロック部１７が係止突部１９の進入路から下方に逃げているので係合せず、下側のロックアーム１４がロック機能を発揮することはない。
【００２８】
一方、メンテナンス等を行う場合において、雌雄のコネクタＭ，Ｆの嵌合を外す場合は、上側のロックアーム１４の操作部１６を押してそのロックアーム１４を下方に向けて強制的に撓み変形させると、ロック部１７が係止突部１９から外れてロックが解除されるため、そのまま雌雄のコネクタＭ，Ｆを引き離せばよい。
【００２９】
このように本第１実施形態によれば、ロックアーム１４を設けた側の雌コネクタＦ同士を連結する場合に、両雌コネクタＦの間に挟まれる下側のロックアーム１４は、撓み変形状態に止め置かれて、いわば殺した状態とされるから、両雌コネクタＦ間にロックアーム１４のロック解除操作するためのスペースを設ける必要がなくて、ほぼ密着状の小嵩に組み付けることができる。それに伴い相手の雄コネクタＭ側も小嵩に組み付けることができ、全体としてコンパクトにまとめることができる。また、雌雄のコネクタＭ，Ｆ間をロックする箇所が上側の一箇所だけとなるので、嵌合を解除する作業も簡単に行うことができる。
【００３０】
＜第２実施形態＞
次に、本発明の第２実施形態を図１０および図１１に基づいて説明する。この第２実施形態では、雄側と雌側とで３個ずつのコネクタを予め組み付け、しかるのち雌雄のコネクタを嵌合する場合を例示している。
【００３１】
まず雄側では、図１０に示すように、１個の主コネクタＭ１と、２個の副コネクタＭ２とから構成されている。主コネクタＭ１は、第１実施形態に示した雄コネクタＭを横方向に２倍強大きくした形状であって、本体部１ａ内には、雄型端子金具６が挿入される合計８個のキャビティ３が４個ずつ左右に分かれて設けられている。この主コネクタＭ１のフード部２ａの下面における左右両側には、第１実施形態の雄コネクタＭに設けられたと同様のガイドレール２１ならびに係止片２３が設けられている。副コネクタＭ２は、第１実施形態の雄コネクタＭと同一形状である。
【００３２】
したがって、各副コネクタＭ２の差込脚２６を、主コネクタＭ１の左右いずれかのガイドレール２１に前面側から差し込むことで、第１実施形態と同様にして、係止片２３が突部２８と係合つつ、主コネクタＭ１の下面に左右２個の副コネクタＭ２が一体的に組み付けられる。
【００３３】
雌側においても、１個の主コネクタＦ１と、２個の副コネクタＦ２が備えられている。主コネクタＦ１は、第１実施形態に示した雌コネクタＦを横方向に２倍強大きくした形状であって、雄側の主コネクタＭ１のフード部２ａ内に嵌合可能となっており、雌型端子金具１２が挿入される合計８個のキャビティ１１が４個ずつ左右に分かれて形成されている。副コネクタＦ２は、第１実施形態の雌コネクタＦと同一形状である。
【００３４】
主コネクタＦ１の後端下面の左右両側には、副コネクタＦ２に設けられた差込脚３０が差し込み可能とされるガイドレール３１が形成されている。また、ガイドレール３１内には、副コネクタＦ２に設けられたロックアーム１４のロック機能を殺すための押圧板４０が形成されている。
【００３５】
したがって、各副コネクタＦ２の差込脚３０を、主コネクタＦ１の左右いずれかのガイドレール３１に前面側から差し込むことで、第１実施形態と同様にして、係止片３５の鈎部３６が係止凹部３８に嵌まりつつ、主コネクタＦ１の下面に左右２個の副コネクタＦ２が一体的に組み付けられる。それとともに、両副コネクタＦ２のロックアーム１４の操作部１６が、主コネクタＦ１の押圧板４０で押さえられて、両ロックアーム１４は撓み変形した状態に保持される。
【００３６】
なお、雌側の主コネクタＦ１の上面における幅方向の中央位置には、第１実施形態と同様のロックアーム１４ａが設けられている。一方の雄側の主コネクタＭ１には、フード部２ａの天井面の前縁における幅方向の中央位置に、上記のロックアーム１４ａのロック部１７ａに係止可能な係止突部１９ａが形成されている。これらの係止突部１９ａとロックアーム１４ａは、第１実施形態のものに比べて一回り大きく形成されているが、基本的な形状や機能は同様である。
【００３７】
この第２実施形態は上記のような構造であって、雄側と雌側において、それぞれ既述した要領によって、主コネクタＭ１とＦ１に対して２個の副コネクタＭ２とＦ２を一体的に組み付ける。雌側では、両副コネクタＦ２のロックアーム１４がそれぞれ撓み変形してロック機能を殺された状態に保持される。
【００３８】
続いて、一体に組み付けられた雌側のコネクタＦ１，Ｆ２を、同じく一体に組み付けられ雄側のコネクタＭ１，Ｍ２に嵌合する。雌側の主コネクタＦ１は雄側の主コネクタＭ１に、雌側の両副コネクタＦ２は雄側の対応する副コネクタＭ２にそれぞれ嵌合される。その際、雌側の主コネクタＦ１に設けられたロックアーム１４ａが撓み変形しつつ押し込まれ、所定量押し込まれると、ロックアーム１４ａが復元変形しつつロック部１７ａが係止突部１９ａに係止されることで、雄側のコネクタＭ１，Ｍ２と雌側のコネクタＦ１，Ｆ２とが正規に嵌合された状態にロックされる。雌側の両副コネクタＦ２のロックアーム１４は上記のように撓み変形した状態にあるので、ロック機能を発揮することはない。
【００３９】
メンテナンス等を行う場合において、雌雄のコネクタの嵌合を外す場合は、雌側の主コネクタＦ１のロックアーム１４ａの操作部１６ａを押して強制的に撓み変形させるとロックが解除されるため、そのまま雌雄のコネクタを引き離せばよい。
このように本発明は、コネクタをハイブリッド状に組み付ける場合にも適用することができる。
【００４０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４１】
（１）コネクタの組み付け態様は、例えば第１実施形態に示したコネクタを３個以上積み上げ状に組み付けるようにしてもよく、その場合も、１個のロックアームのみをロック可能な状態に残して、他のロックアームをすべてロック機能を殺した状態とすることが可能である。
【００４２】
（２）また、ロックアームが雄側のコネクタに設けられている形式のものにも同様に適用でき、要は、分割型のコネクタを予め一体に組み付けたのちに、雌雄を嵌合するような場合全般に広く適用することが可能である。
【図面の簡単な説明】
【図１】本発明の第１実施形態に係る雄コネクタの斜視図である。
【図２】その正面図である。
【図３】２個の雄コネクタを組み付ける動作を示す断面図である。
【図４】２個の雄コネクタを組み付けた状態の断面図である。
【図５】雌コネクタの斜視図である。
【図６】その正面図である。
【図７】２個の雌コネクタを組み付ける動作を示す断面図である。
【図８】２個の雌コネクタを組み付けた状態の断面図である。
【図９】雌雄の組み付けられたコネクタを嵌合した状態の断面図である。
【図１０】本発明の第２実施形態に係る雄側のコネクタの組み付け前の状態の正面図である。
【図１１】その雌側のコネクタの組み付け前の状態の正面図である。
【図１２】従来例の斜視図である。
【符号の説明】
Ｍ…雄コネクタ
Ｆ…雌コネクタ
１４…ロックアーム（ロック片）
１９…係止突部（係止部）
３５…係止片（連結手段）
３８…係止凹部（連結手段）
４０…押圧板（押圧手段）
Ｍ１…雄側の主コネクタ
Ｍ２…雄側の副コネクタ
Ｆ１…雌側の主コネクタ
Ｆ２…雌側の副コネクタ
１４ａ…ロックアーム
１９ａ…係止突部
【図１】
0003565237.tif 000002
【図２】
0003565237.tif 000003
【図３】
0003565237.tif 000004
【図４】
0003565237.tif 000005
【図５】
0003565237.tif 000006
【図６】
0003565237.tif 000007
【図７】
0003565237.tif 000008
【図８】
0003565237.tif 000009
【図９】
0003565237.tif 000010
【図１０】
0003565237.tif 000011
【図１１】
0003565237.tif 000012
【図１２】
0003565237.tif 000013